(57)【特許請求の範囲】
【請求項１】
水中で魚模型を遊泳させるための水槽本体と、前記水槽本体の下側に設けられ当該水槽本体に対して着脱可能な下部ブロックと、前記水槽本体内を底部空間と前記魚模型が遊泳する空間とに分け多数の通水孔が形成された仕切り板とを備え、前記水槽本体には、前記底部空間に前記仕切り板の下側の水を汲み上げその仕切り板の上側に導いて当該水槽本体内に水流を形成するための水流ファンが設置され、前記下部ブロックには、前記水流ファンの動力源となるモータが設置されるとともに前記モータの電源となる電池が設置可能となっており、前記モータの軸にはマグネットが設けられ、前記モータの軸と前記水流ファンの軸とは上下で水平方向に平行に延在し、前記水流ファンの軸には、前記マグネットに対応する部分に他のマグネットが設けられ、前記モータの軸と前記水流ファンの軸との間の動力伝達を磁力作用を通じて行うように構成され、前記水流ファンはフードによって被覆され、前記フードは、前記モータの動力による前記水流ファンの軸の回転を通じて揺動するように構成され、前記フードには吐出口が設けられ、前記水流ファンの回転に伴って前記吐出口を通じて水を吐出するように構成されていることを特徴とする水槽玩具。
【請求項２】
前記水槽本体には開口部を持つ岩礁模型が設けられ、前記岩礁模型の内側に前記フードが設けられていることを特徴とする請求項１に記載の水槽玩具。
【請求項３】
前記モータ及び前記電池が設けられる下部ブロックには当該電池を電源とし前記水槽本体内を照らす発光ダイオードが設けられていることを特徴とする請求項１又は２に記載の水槽玩具。
【請求項４】
前記モータ及び前記電池が設けられる下部ブロックとは別のブロックが前記水槽本体に対して着脱可能に設けられ、当該別のブロックには電池を電源とし前記水槽本体内を照らす発光ダイオードが設けられていることを特徴とする請求項１又は２に記載の水槽玩具。
【発明の詳細な説明】
【技術分野】
【０００１】
本発明は、魚模型が遊泳する水槽玩具に関する。
【背景技術】
【０００２】
この種の水槽玩具として、魚模型を水槽本体に入れ、この魚模型を磁力によって遊泳させるようにしたものが知られている。
【特許文献１】特開平７−８８２５５号公報
【発明の開示】
【発明が解決しようとする課題】
【０００３】
しかしながら、魚模型を磁力によって遊泳させるものでは、魚模型に磁石を組み込むとともに、水槽本体に駆動磁石を組み込む必要があることから、構造が複雑となる。また、この種の水槽玩具にあっては、一般に、磁力の及ぶ範囲は比較的小さいため、魚模型の行動範囲も小さいものとなっている。
本発明は、かかる点に鑑みなされたものであり、構造が簡単で、しかも魚模型の行動範囲を比較的に大きくすることが可能な水槽玩具を提供することを目的としている。
【課題を解決するための手段】
【０００４】
請求項１に記載の水槽玩具は、水中で魚模型を遊泳させるための水槽本体と、前記水槽本体の下側に設けられ当該水槽本体に対して着脱可能な下部ブロックと、前記水槽本体内を底部空間と前記魚模型が遊泳する空間とに分け多数の通水孔が形成された仕切り板とを備え、前記水槽本体には、前記底部空間に前記仕切り板の下側の水を汲み上げその仕切り板の上側に導いて当該水槽本体内に水流を形成するための水流ファンが設置され、前記下部ブロックには、前記水流ファンの動力源となるモータが設置されるとともに前記モータの電源となる電池が設置可能となっており、前記モータの軸にはマグネットが設けられ、前記モータの軸と前記水流ファンの軸とは上下で水平方向に平行に延在し、前記水流ファンの軸には前記マグネットに対応する部分に他のマグネットが設けられ、前記モータの軸と前記水流ファンの軸との間の動力伝達を磁力作用を通じて行うように構成され、前記水流ファンはフードによって被覆され、前記フードは、前記モータの動力による前記水流ファンの軸の回転を通じて揺動するように構成され、前記フードには吐出口が設けられ、前記水流ファンの回転に伴って前記吐出口を通じて水を吐出するように構成されていることを特徴とする。
【０００５】
請求項２に記載の水槽玩具は、請求項１に記載の水槽玩具において、前記水槽本体には開口部を持つ岩礁模型が設けられ、前記岩礁模型の内側に前記フードが設けられていることを特徴とする。
【０００６】
請求項３に記載の水槽玩具は、請求項１又は２に記載の水槽玩具において、前記モータ及び前記電池が設けられる下部ブロックには当該電池を電源とし前記水槽本体内を照らす発光ダイオードが設けられていることを特徴とする。
【０００７】
請求項４に記載の水槽玩具は、請求項１又は２に記載の水槽玩具において、前記モータ及び前記電池が設けられる下部ブロックとは別のブロックが前記水槽本体に対して着脱可能に設けられ、当該別のブロックには電池を電源とし前記水槽本体内を照らす発光ダイオードが設けられていることを特徴とする。
【発明の効果】
【０００９】
請求項１に記載の水槽玩具によれば、水流ファンによって惹起される水流によって魚模型を遊泳させるので、魚模型に磁石等を組み込む必要がなくなることから構造が簡素となるとともに、魚模型の行動範囲を比較的大きくすることができる。また、水流で魚模型を動作させるため魚模型の動作が滑らかとなる。さらに、モータや電池が組み込まれる下部ブロックと水槽本体が分離できるため、水槽本体の掃除や、水槽本体の水交換が容易となる。また、モータの動力が磁力作用を通じて水流ファンに伝達されるので、水漏れを防ぐための特別なシールが不要となる。また、機械音を低減させることができる。また、請求項１に記載の水槽玩具によれば、揺動するフードによって水流が変化するので、魚模型の動作に微妙に変化を加えることができる。
【００１１】
請求項２に記載の水槽玩具によれば、岩礁模型によって水流ファンが被覆されるので、意匠的にも好ましいものとなる。
【００１２】
請求項３及び４に記載の水槽玩具によれば、発光ダイオードが設けられているので、夜間でも魚模型の鑑賞が可能となる。
【発明を実施するための最良の形態】
【００１３】
Ａ．参考例
（全体構造）
図１は参考例に係る水槽玩具の斜視図である。この水槽玩具１は大別すると水槽本体２と上部ブロック３から構成されている。水槽本体２には水が貯留されるとともに、魚模型Ｆが入れられている。上部ブロック３にはボタン式の操作部Ｂとシーソ式の操作部Ｓとが設けられている。このうち操作部Ｂは水槽本体２内に水流を形成するためのもので、操作部Ｓは水槽本体２内を照明するためのものである。以下、水槽玩具１の詳細を説明する。
【００１４】
（水槽本体の天板）
水槽本体２は矩形状の箱の形に形成されている。この水槽本体２には図２に示すように天板２１が設けられている。また、天板２１には矩形状の凹部２２が形成されている。そして、凹部２２には注水口２３が形成されている。ここで凹部２２に注水口２３を形成したのは、注水の際に注水口２３の周辺に流れる水を凹部２２で受け止めて水垂れを防止するためである。この注水口２３は魚模型Ｆを出し入れできる大きさに形成されている。この注水口２３には半透明の軟質合成樹脂製の蓋２４が着脱可能に取り付けられる。なお、注水口２３は水道の蛇口よりも大きいものであることが好ましい。水道の蛇口から直接注水できるからである。
また、天板２１には排水口２５が形成されている。この排水口２５は特に限定はされないが凹部２２の外に形成されている。この排出口２５は魚模型Ｆが出し入れできない大きさとなっている。この排出口２５を注水口２３とは別に形成したのは、排水にあたり魚模型Ｆよりも小さい排出口２５を用いることで、魚模型Ｆが流れ出てしまうのを防止するためである。
【００１５】
（水槽本体の仕切り板）
水槽本体２の底近くには図１及び図３に示すように硬質合成樹脂製の仕切り板３１が設けられている。この仕切り板３１は水槽本体２内を底部空間と魚模型Ｆが遊泳する空間を隔てるためのものである。この仕切り板３１には多数の通水孔３２が形成されている。多数の通水孔３２は仕切り板３１の上下の通水を可能とするものである。
また、仕切り板３１には硬質合成樹脂製の岩礁模型３３が一体的に付設されている。岩岩礁模型３３の一つは仕切り板３１上に吐出口分３４を持つ。
【００１６】
（水槽本体のポンプ）
水槽本体２のポンプ４１はフード４２と開放形の水流ファン４３を備える。水流ファン４３の軸４４は図３に示すように岩礁模型３３の表皮を上下に貫通して設けられている。軸４４の上端にはフェイスギア４５が固定されている。このフェイスギア４５のギア部分は水槽本体２の天板２１の上側に露出している。また、軸４４には前記水流ファン４３が固定されている。水流ファン４３の設置場所は岩礁模型３３の表皮に覆われた領域である。この水流ファン４３はその回転によって仕切り板３１の下側の水を汲み上げ仕切り板３１の上側に導く働きをする。一方、フード４２は水流ファン４３を上方および側方から覆うものであり、外周には吐出口４５が設けられている。吐出口４５は水流ファン４３からの水を吐出するためのものである。このフード４２の周縁部下側には突起４６が付設されている。この突起４６は、仕切り板３１に形成した弧状のスリット４７に挿入され、仕切り板３１の下側にまで延びている。
以上のように構成されたフード４２は後述の揺動機構５１によって軸４４を中心にして左右に揺動可能に構成されている。なお、図５はフード４２および水流ファン４３の加法から見た場合の斜視図である。
【００１７】
（揺動機構）
揺動機構５１は前記軸４４の回転動力によって前記フード４２を左右に揺動させるものである。この揺動機構５１はウォームギア５２、ギア５３、ウォームギア５４、ギア５５および揺動部材５６を備える。ウォームギア５４は前記軸４４の下端に固定されている。ギア５３は、水平方向に延在する軸５７の一端に固定され、前記ウォームギア５２と噛合している。ウォームギア５２は前記軸５７の他端に固定されている。ギア５５は、鉛直方向に延在する軸５８に付設され、前記ウォームギア５４と噛合している。このギア５５の上面の偏心位置には突起５９が付設されている。揺動部材５６はギア５５外の軸６０を中心に揺動可能に構成されている。揺動部材５６にはスリット６１が形成され、このスリット６１には前記ギア５５の突起５９が下側から挿入されている。その結果、揺動部材５６はギア５５が回転すると軸６０を中心に左右に揺動することになる。また、揺動部材５６のスリット６１には、スリット４７に挿入された突起４６が上側から挿入されている。その結果、揺動部材５６が左右に揺動するとフード４２も左右に揺動することになる。
【００１８】
（上部ブロック）
上部ブロック３には電池収容部（図示せず）が設けられている。電池収容部には乾電池（図示せず）が収容可能となっている。この電池収容部は蓋３ａ（図１参照）によって覆われている。蓋３ａは上部ブロック３の本体にねじ止めされている。したがって、ねじを取り外して蓋３ａを取り外すことにより、乾電池を取り付けたり、取り外したりすることができる。
また、上部ブロック３には前記乾電池を電源とするモータＭが設置されている。このモータＭはモータ軸が上下方向に延在するように設置されている。モータ軸にはフェースギア３ｂが固定されている。フェースギア３ｂは上部ブロック３の下側に露出している。そして、このフェースギア３ｂは上部ブロック３が水槽本体２に設置された際に前記フェースギア４５と噛合する。
さらに、上部ブロック３には青色の発光ダイオードＬが設置されている。発光ダイオードＬは上部ブロック３の下側に露出している。発光ダイオードＬの設置場所は前記水槽本体２の注水口２５に対応する位置である。
【００１９】
次に、水槽玩具１の使用の仕方の一例を説明する。
水槽本体２から上部ブロック３を取り外した後、注水口２３の蓋２４を取り外して注水口２３から水を注ぎ込む。次いで、或いは水を注ぎ込む前に魚模型Ｆを注水口２３から水槽本体２内に入れる。水が注ぎ込まれ、かつ魚模型Ｆを水槽本体２内に入れたら、注水口２３に蓋２４を付けて水槽本体２の上に上部ブロック３を設置する。そして、水槽玩具１を机等の上に設置し、操作部Ｂおよび操作部Ｓを操作する。
【００２０】
すると、ポンプ４１が作動し水流ファン４３が回転するとともに、フード４２が左右に揺動する。そして、水槽本体２内の水は仕切り板３１の通水孔３２から下側に吸い込まれるとともに、岩礁模型３３の吐出口分３４から吐き出される。このとき、水槽本体２内には水流が形成され、この水流によって魚模型Ｆが遊泳する。
【００２１】
Ｂ．本発明の実施形態
（全体構成）
図７は本発明の実施形態に係る水槽玩具の要部を示している。この水槽玩具７０が参考例の水槽玩具１と異なる点は、第１に、下部ブロック７１を備えており、この下部ブロック７１に、モータＭが設置されるとともにモータＭの電源としての電池７２が設置可能となっていること、第２に、下部ブロック７１の動力伝達部品と水槽本体７３の動力伝達部品との間の動力伝達が磁力作用を通じて行われるようになっている点である。以下、水槽玩具７０の詳細を説明する。なお、図８は、水槽玩具７０における水槽本体７３内の仕切り板７５およびフード９５，９６を取り外した状態の平面図、図９は、水槽玩具７０における水槽本体７３内のフード９５，９６を取り外した状態の平面図、図１０は、水槽玩具７０における水槽本体７３内の平面図である。
【００２２】
（下部ブロック）
下部ブロック７１に設置されるモータＭは、特に限定はされないが、モータ軸が水平となるように設置されている。このモータ軸にはマグネット７４が取り付けられている。モータＭが設置される下部ブロックは水槽本体７３に対して着脱可能となっている。
【００２３】
（水槽本体）
水槽本体７３の底近くには硬質合成樹脂製の仕切り板７５が設けられている。仕切り板７５には、第１実施形態の水槽玩具１の仕切り板３１と同様に、多数の通水孔７６が形成されている。水槽本体７３内には、仕切り板７５の下側に、前記モータ軸と平行に延在する軸７７が設置されている。この軸７７の両端には水流ファン７８，７９が設けられている。また、軸７７には、前記マグネット７４に対峙する部分にマグネット８０が設けられている。そして、マグネット７４，８０間に作用する磁力によって、モータＭの動力が軸７７に伝達され、軸７７が回転するようになっている。また、軸７７にはギア８１が設けられている。軸７７の下側には当該軸７７と直交する方向で且つ水平方向に延在する軸８２が設けられている。この軸８２にはギア８３，８４が設けられている。このうちギア８３は前記ギア８１に噛合している。また、鉛直方向に延在する軸（図示せず）にはギア８６が設けられている。このギア８６は前記ギア８４に噛合している。ギア８６の上側の端面には偏心位置に突起８７が設けられている。ギア８６の上方にはスライダ８８が設けら
れている。このスライダ８８は前記軸７７の延在方向に動作可能となっている。このスライダ８８の一端の長穴８９には前記突起８７が挿入され、スライダ８８はギア８６の回転に伴って動作するようになっている。スライダ８８の他端にはＵ字状の係合部９０が設けられている。
【００２４】
仕切り板７５には水流ファン７８，７９に対応する位置に穴９１，９２が設けられている。また、仕切り板７５には穴９１，９２を覆うようにフード９３，９４が設けられている。フード９３，９４にはそれぞれ吐出口９５，９６が設けられている。一方のフード９３は仕切り板７５に固定されている。他方のフード９４は鉛直方向に延在する軸９７を中心に揺動可能となっている。フード９４の下には突起９８が設けられている。仕切り板７５には前記突起９８の移動領域に対応する部分にガイド穴９９が設けられている。前記突起９８は、仕切り板７５の下側に突出し前記係合部７０に係合している。その結果、スライダ８８が動作するとフード９４が揺動することになる。
【００２５】
なお、マグネット７４，６０は円周方向に交互にＮ極，Ｓ極が並ぶようにすることによってモータ軸や軸５７に取り付ければよい。
【００２６】
Ｃ．変形例
以上、本発明の実施形態について説明したが、本発明は、かかる実施形態に限定されるものではなく、その要旨を逸脱しない範囲で種々の変形が可能であることはいうまでもない。
【００２７】
例えば、上記実施形態においてはフード９３，９４を露出させたが、参考例と同様に岩礁模型の下に設けてもよい。さらに、上記実施形態においては上部ブロックを設けなかったが、上部ブロックを水槽本体７３に対して着脱可能に設けてもよい。そして、この場合、上部ブロックに発光ダイオードを設置するとともに電池を着脱可能とし、発光ダイオードによって水槽本体７３内を照らせるようにしてもよい。また、発光ダイオードはモータＭと同じブロックに設けてもよい。
【図面の簡単な説明】
【００２８】
【図１】参考例に係る水槽玩具の斜視図である。
【図２】図１の水槽玩具における水槽本体の上面の斜視図である。
【図３】図１の水槽玩具を正面から見た場合の断面図である。
【図４】図１の水槽玩具のポンプ等の分解斜視図である。
【図５】図１の水槽玩具の水流ファンおよびフードを下側から見た場合の斜視図である。
【図６】図１の水槽玩具の上部ブロックを下側から見た場合の斜視図である。
【図７】本発明の実施形態に係る水槽玩具の要部を正面から見た場合の断面図である。
【図８】図７の水槽玩具における水槽本体内の仕切り板およびフードを取り外した状態の平面図である。
【図９】図７の水槽玩具における水槽本体内のフードを取り外した状態の平面図である。
【図１０】図７の水槽玩具における水槽本体内の平面図である。
【符号の説明】
【００２９】
１，７０    水槽玩具
２，７３    水槽本体
３    上部ブロック
３３    岩礁模型
４２，９３，９４    フード
４３，５８，５９    水流ファン
４４    軸
７４，８０    マグネット
Ｍ    モータ
【図１】
0003705800.tif 000002
【図２】
0003705800.tif 000003
【図３】
0003705800.tif 000004
【図４】
0003705800.tif 000005
【図５】
0003705800.tif 000006
【図６】
0003705800.tif 000007
【図７】
0003705800.tif 000008
【図８】
0003705800.tif 000009
【図９】
0003705800.tif 000010
【図１０】
0003705800.tif 000011